(57)【要約】【課題】技能教習と学科教習とを効率良く受講することができると共に、学科教習の受講者数を教習所側で事前に把握できるようにする。【解決手段】記憶部１０６には、教習所が提供する学科教習の講義スケジュールを記憶する教習所情報記憶手段と、教習生が予約した技能教習の予約履歴情報を記憶する技能履歴テーブル１０６ｂと、教習生が受講する必要のある学科教習の履歴情報を記憶する学科履歴テーブル１０６ｉとが格納され、制御部１０２は、技能履歴テーブル１０６ｂから教習生が予約した技能教習の受講日時と、教習所情報記憶手段からの学科教習の講義スケジュールと、学科履歴テーブルから受講を要する学科教習の履歴情報とを取得し、技能教習の来校日に合わせて受講可能な学科教習の受講推奨日を計算し、予約を取得する学科教習予約取得部１０２ｅを備える。【選択図】図１
2020004290.tif 000002
【特許請求の範囲】
【請求項１】
記憶部と制御部とを備え、教習生が教習所の学科教習の予約を自動で取得する教習予約取得装置であって、
前記記憶部には、
前記教習所が提供する学科教習の講義スケジュールを記憶する教習所情報記憶手段と、
前記教習生が予約した技能教習の予約履歴情報を記憶する技能履歴テーブルと、
前記教習生が受講する必要のある学科教習の履歴情報を記憶する学科履歴テーブルと、
が格納されており、
前記制御部は、
前記技能履歴テーブルから教習生が予約した技能教習の受講日時と、前記教習所情報記憶手段からの学科教習の講義スケジュールと、前記学科履歴テーブルから受講する必要のある学科教習の履歴情報とを取得し、前記技能教習の来校日に合わせて受講可能な学科教習の受講推奨日を計算し、予約を取得する学科教習予約取得手段
を備えたこと、
を特徴とする教習予約取得装置。
【請求項２】
前記記憶部には、
前記学科教習の受講推奨日の計算にあたって、前記技能教習の受講日時の前後か受講予定の学科教習の前後、あるいは、前記技能教習の受講日時か前記受講予定の学科教習から一定の空き時間内において、受講可能な学科教習を受講推奨日とする優先順位を設定する予約優先順位テーブル
がさらに格納されており、
前記学科教習予約取得手段は、
前記学科教習の受講推奨日を計算する際に、前記予約優先順位テーブルの優先順に従って受講推奨日を計算すること、
を特徴とする請求項１に記載の教習予約取得装置。
【請求項３】
前記学科教習予約取得手段は、
計算した学科教習の受講推奨日が複数ある場合に、複数の受講推奨日のうち開講日が前の学科教習を選択すること、
を特徴とする請求項１または２に記載の教習予約取得装置。
【請求項４】
記憶部と制御部とを備え、教習生が教習所の学科教習の予約を自動で取得する教習予約取得装置で実行される教習予約取得方法であって、
前記記憶部には、
前記教習所が提供する学科教習の講義スケジュールを記憶する教習所情報記憶手段と、
前記教習生が予約した技能教習の予約履歴情報を記憶する技能履歴テーブルと、
前記教習生が受講する必要のある学科教習の履歴情報を記憶する学科履歴テーブルと、
が格納されており、
前記制御部で実行される、
前記技能履歴テーブルから教習生が予約した技能教習の受講日時と、前記教習所情報記憶手段からの学科教習の講義スケジュールと、前記学科履歴テーブルから受講する必要のある学科教習の履歴情報とを取得し、前記技能教習の来校日に合わせて受講可能な学科教習の受講推奨日を計算し、予約を取得する学科教習予約取得ステップ
を含むこと、
を特徴とする教習予約取得方法。
【請求項５】
記憶部と制御部とを備え、教習生が教習所の学科教習の予約を自動で取得する教習予約取得装置で実行させるための教習予約取得プログラムであって、
前記記憶部には、
前記教習所が提供する学科教習の講義スケジュールを記憶する教習所情報記憶手段と、
前記教習生が予約した技能教習の予約履歴情報を記憶する技能履歴テーブルと、
前記教習生が受講する必要のある学科教習の履歴情報を記憶する学科履歴テーブルと、
が格納されており、
前記制御部で実行させるための、
前記技能履歴テーブルから教習生が予約した技能教習の受講日時と、前記教習所情報記憶手段からの学科教習の講義スケジュールと、前記学科履歴テーブルから受講する必要のある学科教習の履歴情報とを取得し、前記技能教習の来校日に合わせて受講可能な学科教習の受講推奨日を計算し、予約を取得する学科教習予約取得ステップ
を含むこと、
を特徴とする教習予約取得プログラム。
【発明の詳細な説明】
【技術分野】
【０００１】
本発明は、教習予約取得装置、教習予約取得方法および教習予約取得プログラムに関する。
【背景技術】
【０００２】
特許文献１では、個々の教習生に合った最適で公平な履修計画表を生成するため、教習生登録を行った上で、教習所側の技能教習計画となる職員スケジュール、および、学科計画となる学科計画を参照し、教習制限となる履修不可能時限を考慮して、スケジュールを自動作成する。技能教習には、所内学習の第１段階と、路上教習の第２段階とが有り、技能教習第１段階と学科教習第１段階を終了して、効果測定を受けた教習生が修了検定を受験でき、合格すると仮免許証が交付される。そして、所定期間内に技能教習と学科教習とを全て修了し、効果測定を受けた教習生が卒業検定を受験でき、合格すると卒業証書が交付される。
【先行技術文献】
【特許文献】
【０００３】
【特許文献１】特開２００１−３１８５８５号公報
【発明の概要】
【発明が解決しようとする課題】
【０００４】
しかしながら、上記特許文献１では、技能教習と並行して学科教習を履修する際に、学科教習を予約するという記載は無く、教習生が学科をいつ受講するかを教習所側で把握できないため、長期的な視点で教習生の卒業予定を把握することができず、在籍教習生数を適切に管理することができないという課題があった。
【０００５】
本発明は、上記に鑑みてなされたものであって、技能教習を予約した来校日に合せて受講可能な学科教習を受講推奨日として予約を取得することで、技能教習と学科教習とを効率良く受講できると共に、学科教習の受講者数を教習所側で事前に把握することができる教習予約取得装置、教習予約取得方法および教習予約取得プログラムを提供することを目的とする。
【課題を解決するための手段】
【０００６】
上述した課題を解決し、目的を達成するために、本発明に係る教習予約取得装置は、記憶部と制御部とを備え、教習生が教習所の学科教習の予約を自動で取得する教習予約取得装置であって、前記記憶部には、前記教習所が提供する学科教習の講義スケジュールを記憶する教習所情報記憶手段と、前記教習生が予約した技能教習の予約履歴情報を記憶する技能履歴テーブルと、前記教習生が受講する必要のある学科教習の履歴情報を記憶する学科履歴テーブルと、が格納されており、前記制御部は、前記技能履歴テーブルから教習生が予約した技能教習の受講日時と、前記教習所情報記憶手段からの学科教習の講義スケジュールと、前記学科履歴テーブルから受講する必要のある学科教習の履歴情報とを取得し、前記技能教習の来校日に合わせて受講可能な学科教習の受講推奨日を計算し、予約を取得する学科教習予約取得手段を備えたこと、を特徴とする。
【０００７】
また、本発明に係る教習予約取得装置は、前記記憶部には、前記学科教習の受講推奨日の計算にあたって、前記技能教習の受講日時の前後か受講予定の学科教習の前後、あるいは、前記技能教習の受講日時か前記受講予定の学科教習から一定の空き時間内において、受講可能な学科教習を受講推奨日とする優先順位を設定する予約優先順位テーブルがさらに格納されており、前記学科教習予約取得手段は、前記学科教習の受講推奨日を計算する際に、前記予約優先順位テーブルの優先順に従って受講推奨日を計算すること、を特徴とする。
【０００８】
また、本発明に係る教習予約取得装置は、前記学科教習予約取得手段は、計算した学科教習の受講推奨日が複数ある場合に、複数の受講推奨日のうち開講日が前の学科教習を選択すること、を特徴とする。
【０００９】
また、本発明に係る教習予約取得方法は、記憶部と制御部とを備え、教習生が教習所の学科教習の予約を自動で取得する教習予約取得装置で実行される教習予約取得方法であって、前記記憶部には、前記教習所が提供する学科教習の講義スケジュールを記憶する教習所情報記憶手段と、前記教習生が予約した技能教習の予約履歴情報を記憶する技能履歴テーブルと、前記教習生が受講する必要のある学科教習の履歴情報を記憶する学科履歴テーブルと、が格納されており、前記制御部で実行される、前記技能履歴テーブルから教習生が予約した技能教習の受講日時と、前記教習所情報記憶手段からの学科教習の講義スケジュールと、前記学科履歴テーブルから受講する必要のある学科教習の履歴情報とを取得し、前記技能教習の来校日に合わせて受講可能な学科教習の受講推奨日を計算し、予約を取得する学科教習予約取得ステップを含むこと、を特徴とする。
【００１０】
また、本発明に係る教習予約取得プログラムは、記憶部と制御部とを備え、教習生が教習所の学科教習の予約を自動で取得する教習予約取得装置で実行させるための教習予約取得プログラムであって、前記記憶部には、前記教習所が提供する学科教習の講義スケジュールを記憶する教習所情報記憶手段と、前記教習生が予約した技能教習の予約履歴情報を記憶する技能履歴テーブルと、前記教習生が受講する必要のある学科教習の履歴情報を記憶する学科履歴テーブルと、が格納されており、前記制御部で実行させるための、前記技能履歴テーブルから教習生が予約した技能教習の受講日時と、前記教習所情報記憶手段からの学科教習の講義スケジュールと、前記学科履歴テーブルから受講する必要のある学科教習の履歴情報とを取得し、前記技能教習の来校日に合わせて受講可能な学科教習の受講推奨日を計算し、予約を取得する学科教習予約取得ステップを含むこと、を特徴とする。
【発明の効果】
【００１１】
本発明によれば、技能教習を予約した来校日に合せて受講可能な学科教習を受講推奨日として予約を取得することで、技能教習と学科教習とを効率良く受講できると共に、学科教習の受講者数を教習所側で事前に把握することができるという効果を奏する。
【図面の簡単な説明】
【００１２】
【図１】図１は、本実施形態に係る教習予約取得装置の構成の一例を示すブロック図である。
【図２】図２は、入校時の技能履歴テーブルの一例を示す図である。
【図３】図３は、予約枠テーブルの一例を示すフローチャートである。
【図４】図４は、予約コーステーブルの一例を示す図である。
【図５】図５は、曜日別時限可否テーブルの一例を示す図である。
【図６】図６は、来校スケジュールテーブルの一例を示す図である。
【図７】図７は、予約判断テーブルの一例を示す図である。
【図８】図８は、入校時の学科履歴テーブルの一例を示す図である。
【図９】図９は、技能教習を自動予約取得する処理の一例を示すフローチャートである。
【図１０】図１０は、図９で自動予約取得した後の技能履歴テーブルの一例を示す図である。
【図１１】図１１は、学科教習を自動予約取得する処理の一例を示すフローチャートである。
【図１２】図１２は、図１１で自動予約取得した後の学科履歴テーブルの一例を示す図である。
【発明を実施するための形態】
【００１３】
本発明の実施形態を図面に基づいて詳細に説明する。なお、本発明は本実施形態により限定されるものではない。
【００１４】
［１．概要］
従来は、教習生が学科の予約をすることなく、当日受講をしていた。当日受講の運用では、教習生がいつ受講できるかを判断できず、長期的な視点では教習生がいつ頃卒業する予定かを把握できず、在籍教習生数を適切に把握できず、在籍教習生数を適切に管理することが困難であった。また、各教習の受講者数を事前に把握することができなかった。
【００１５】
教習所の学科教習は、講義形式で実施しており、教習生が学校の講義スケジュールを確認して、技能教習の進度に合わせ、基本的には技能教習で来校する日に学科教習も受講している。そこで、本実施形態に係る教習予約取得装置は、学校の講義スケジュール、技能教習の予約取得状況、教習生の希望卒業日、来校にあたって都合の良い日等の情報から、自動的に学科受講の奨励日を計算し、予約を取得する。このように、自動学科予約を行うことによって、多くの学校で予約なしで開講している学科教習において、予約運用が可能になり、事前に来校者数が把握できることによって、例えば、人数の多い学科教習には経験豊富な指導員を割り当てるなどの運用改善が可能になる。
【００１６】
［２．構成］
本実施形態に係る教習予約取得装置の構成の一例について、図１を参照して説明する。図１は、本実施形態に係る教習予約取得装置の構成の一例を示すブロック図である。
【００１７】
教習予約取得装置１００は、市販のデスクトップ型パーソナルコンピュータである。なお、教習予約取得装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１８】
教習予約取得装置１００は、制御部１０２と通信インターフェース部１０４と記憶部１０６と入出力インターフェース部１０８と、を備えている。教習予約取得装置１００が備えている各部は、任意の通信路を介して通信可能に接続されている。
【００１９】
通信インターフェース部１０４は、ルータ等の通信装置および専用線等の有線又は無線の通信回線を介して、教習予約取得装置１００をネットワーク３００に通信可能に接続する。通信インターフェース部１０４は、他の装置と通信回線を介してデータを通信する機能を有する。ここで、ネットワーク３００は、教習予約取得装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２０】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。ここで、記憶部１０６は、教習生情報記憶手段と教習所情報記憶手段とを含み、作業内容マスタ１０６ａ、技能履歴テーブル１０６ｂ、予約枠テーブル１０６ｃ、予約コーステーブル１０６ｄ、曜日別時限可否テーブル１０６ｅ、来校スケジュールテーブル１０６ｆ、予約判断テーブル１０６ｇ、予約優先順位テーブル１０６ｈ、学科履歴テーブル１０６ｉ等を備えている。
【００２１】
教習生情報記憶手段は、教習生が希望する教習コースと来校日に関する教習生情報を記憶するもので、作業内容マスタ１０６ａ、技能履歴テーブル１０６ｂ、予約コーステーブル１０６ｄ、曜日別時限可否テーブル１０６ｅ、来校スケジュールテーブル１０６ｆ等を含んでいる。
【００２２】
教習所情報記憶手段は、教習所が提供する教習スケジュールと予約枠に関する教習所情報を記憶するもので、予約枠テーブル１０６ｃ等を含んでいる。
【００２３】
作業内容マスタ１０６ａは、教習生の所持免許と、受講を希望する教習種別と、教習車種とに基づいて受講する作業内容を設定するもので、教習種別マスタ１０６ａ１、教習車種マスタ１０６ａ２、所持免許マスタ１０６ａ３を含んでいる。教習生は、入校時に教習所で順番に受講する作業内容を教習種別、教習車種、所持免許ごとに設定された作業内容マスタ１０６ａに基づいて取得する。教習種別には、１：一般、２：審査、３：ペーパー等があり、教習車種には、普通ＭＴ（マニュアルトランスミッション）、普通ＡＴ（オートマチックトランスミッション）、大型二輪ＭＴ（マニュアルトランスミッション）等がある。所持免許には、第一種運転免許として、大型免許、中型免許、準中型免許、普通免許、大型特殊免許、大型二輪免許、普通二輪免許、小型特殊免許、原付免許、けん引免許があり、第二種運転免許として、普通第二種免許、中型第二種免許、大型第二種免許、大型特殊第二種免許、けん引第二種免許があり、その他に仮運転免許がある。
【００２４】
技能履歴テーブル１０６ｂは、教習生が受講する技能教習の履歴情報を記憶するものである。例えば、技能履歴テーブル１０６ｂは、図２に示すように、キー項目として“教習生番号”、“段階”、“順番”がある。“教習生番号”は、教習生を一意に認識するための番号である。“段階”は、教習の段階を意味し、１段階の作業は所内教習のみで、２段階の作業は路上での教習も含まれる。“順番”は、教習カリキュラムを受講する順番を意味し、段階毎に採番される。“作業内容”は、各教習で行う作業の内容のことで、入校時にマスタからどの作業を行うかを取得する。“予約日”は、予約を取得した日である。“予約時限”は、予約を取得した時限である。図２の技能履歴テーブル１０６ｂは、入校時のものであり、予約を取得していないため、“予約日”と“予約時限”は空欄になっているが、後述する図１０の技能履歴テーブル１０６ｂは自動予約取得後のため“予約日”と“予約時限”に予約日時が記載されている。
【００２５】
予約枠テーブル１０６ｃは、作業内容毎に教習所で行われる教習の予約枠が設定されている。例えば、予約枠テーブル１０６ｃは、図３に示すように、キー項目として“作業内容”、“教習日”、“時限”がある。“作業内容”は、各教習で行う作業の内容のことで、予約枠は作業内容毎に保持される。“教習日”は、教習の日付のことである。“時限”は、教習の時限のことである。“予約枠”は、各作業で予約可能な予約枠数の最大値である。“予約取得数”は、各作業で教習生が予約を取得した数である。予約枠テーブル１０６ｃは、教習所が提供する教習所情報の一つである。
【００２６】
予約コーステーブル１０６ｄは、教習生の来校可能日と希望卒業日と必要来校頻度とが少なくとも設定されている。例えば、予約コーステーブル１０６ｄは、図４に示すように、キー項目として“教習生番号”がある。“教習生番号”は、教習生を一意に認識するための番号である。“来校可能日”は、教習生が来校可能な曜日や時間帯などであり、週単位の曜日指定だけでなく、日単位で日付指定を設定することも可能である。“希望卒業日”は、教習生が卒業を希望する日付である。“希望卒業日までの日数”は、入校日から希望卒業日までに要する日数である。“残技能教習数”は、卒業までに受講が必要な技能教習数であり、技能教習数は図２の技能履歴テーブル１０６ｂより取得する。“必要来校頻度”は、（残技能教習数／希望卒業日までの日数×２）より計算する値である。ここで（×２）としたのは、１日２時間の教習受講を想定したためで、これ以外の想定の場合、乗算値が異なる。
【００２７】
曜日別時限可否テーブル１０６ｅは、教習生の曜日別、時限別の来校希望度合が設定されている。例えば、曜日別時限可否テーブル１０６ｅは、図５に示すように、キー項目として“教習生番号”、“曜日”、“時限”がある。“教習生番号”は、教習生を一意に認識するための番号である。“曜日”は、月曜から日曜日までの曜日である。“時限”は、教習の時限のことである。“来校希望度合”は、ここでは０〜１までの３段階とし、０は来校希望度合が一番高い「○」であり、１は来校希望度合が中くらいの「△」であり、２は来校希望度合が一番低い「×」としたが、これよりも段階を増やす設定も可能である。
【００２８】
来校スケジュールテーブル１０６ｆは、必要来校頻度による来校最小日と来校最大日とが設定されている。例えば、来校スケジュールテーブル１０６ｆは、図６に示すように、キー項目として“教習生番号”と“来校回数”がある。“教習生番号”は、教習生を一意に認識するための番号である。“来校回数”は、入校から何回目の来校かを指定する値である。“来校最小日”は、来校回数の中での最小日（図４の予約コーステーブル１０６ｄの“必要来校頻度”より取得）のことである。“来校最大日”は、来校回数の中での最大日（図４の予約コーステーブル１０６ｄの“必要来校頻度”より取得）のことである。
【００２９】
予約判断テーブル１０６ｇは、後述する予約優先順位テーブル１０６ｈの優先順で予約を取得した結果、予約候補が複数ある場合に、教習生の来校希望度合と予約枠の平準化のどちらを優先させるかを設定するものである。例えば、予約判断テーブル１０６ｇは、図７に示すように、“優先度”、“来校希望度合”、“予約枠”がある。“優先度”は、自動予約の優先度のことであり、数字が小さいほど優先度が高くなる。“来校希望度合”は、教習生目線での該当時限の来校希望度であり、数字が小さいほど希望度が高くなる。“予約枠”は、予約の空き状況のことであり、数字が大きいほど空きが大きいため、教習所目線としては予約を入れて数字を小さくしたい。つまり、“予約枠”が大きいところを優先して予約を入れるようにする。
【００３０】
予約優先順位テーブル１０６ｈは、予約枠の空きに予約を取得する際に、連続して教習が受けられる予約を優先させるための優先順位を設定する。ここでは、予約優先順位テーブル１０６ｈの構成例は図示していないが、対象期間内の教習において、以下の（１）〜（４）の優先順で技能教習の予約を取得することで、教習生ができるだけ効率良く技能教習が受けられるようになる。例えば、本実施形態の図９のステップＳ５では、（１）２時間連続で技能教習が可能な予約枠、（２）空き時間が１時間で技能教習が可能な予約枠、（３）同日で２時間技能教習が可能な予約枠、（４）別日で１時間ずつ技能教習が可能な予約枠、と設定した優先順を用いて技能教習の予約を取得するようにする。また、以下の（ａ）〜（ｄ）の優先順で学科教習の予約を取得することにより、教習生が少ない来校日数で効率良く技術教習と学科教習を受講することが可能となる。例えば、本実施形態の図１１のステップＳ１４では、（ａ）技能教習の前後、または、受講対象の学科教習の前後で受講可能な学科教習、（ｂ）技能教習、または、受講対象の学科教習との間の空き時間が１時間で受講可能な学科教習、（ｃ）技能教習、または、受講対象の学科教習と同日で受講可能な学科教習、（ｄ）取得できなかった場合は受講奨励日を取得しない、と設定した優先順を用いて学科教習の予約を取得するようにする。
【００３１】
学科履歴テーブル１０６ｉは、教習生が受講する必要のある学科教習の履歴情報を記憶するものである。例えば、学科履歴テーブル１０６ｉは、図８に示すように、キー項目として“教習生番号”、“段階”、“履修番号”がある。“教習生番号”は、教習生を一意に認識するための番号である。“段階”は、教習の段階を意味し、１段階の作業は所内教習のみで、２段階の作業は路上での教習も含まれる。“履修番号”は、学科教習の番号を意味し、段階毎に採番される。“予約奨励日”は、予約を奨励する日である。“予約奨励時限”は、予約を奨励する時限である。図８の学科履歴テーブル１０６ｉは、入校時のものであり、予約を取得していないため、“予約奨励日”と“予約奨励時限”は空欄になっているが、後述する図１２の学科履歴テーブル１０６ｉは自動予約取得後のため“予約奨励日”と“予約奨励時限”に学科の予約日時が記載されている。
【００３２】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス技能を実現するモニタを用いることができる。なお、以下では、出力装置１１４をモニタ１１４とし、入力装置１１２をキーボード１１２またはマウス１１２として記載する場合がある。
【００３３】
制御部１０２は、教習予約取得装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。ここで、制御部１０２は、機能概念的に、教習生情報取得手段としての教習生情報取得部１０２ａ、教習所情報取得手段としての教習所情報取得部１０２ｂ、来校可能日情報取得手段としての来校可能日情報取得部１０２ｃ、技能教習予約取得手段としての技能教習予約取得部１０２ｄ、学科教習予約取得手段としての学科教習予約取得部１０２ｅ等を備えている。
【００３４】
教習生情報取得部１０２ａは、教習生情報を取得して教習生情報記憶手段に記憶させる。教習生情報取得部１０２ａは、教習生が入校時に入力する教習生情報として、例えば、所持免許、受講を希望する教習種別、教習車種、教習生の来校可能日、希望卒業日等がある。教習生情報取得部１０２ａは、これらの入力情報に基づいて、作業内容マスタ１０６ａから教習生が受講する作業内容情報を取得し、技能履歴テーブル１０６ｂ、予約コーステーブル１０６ｄ、曜日別時限可否テーブル１０６ｅ、来校スケジュールテーブル１０６ｆ、学科履歴テーブル１０６ｉを作成する。
【００３５】
教習所情報取得部１０２ｂは、教習所情報を取得して教習所情報記憶手段に記憶させる。教習所情報取得部１０２ｂは、教習所が提供する教習スケジュールと作業内容毎の予約枠数や残予約枠数等の教習所情報を取得して、予約枠テーブル１０６ｃ等を作成する。また、教習所情報取得部１０２ｂは、教習所の運営に係る情報を取得し、それに基づいて教習予約を自動取得させる際の予約枠の優先順位を、予約判断テーブル１０６ｇや予約優先順位テーブル１０６ｈに設定する。
【００３６】
来校可能日情報取得部１０２ｃは、教習生情報と教習所情報とに基づいて教習生の来校可能日に関する情報を取得する。この来校可能日情報取得部１０２ｃで得られた情報は、予約コーステーブル１０６ｄなどに反映される。また、来校可能日情報取得部１０２ｃは、教習生の来校可能日を取得する際に、曜日別時限可否テーブル１０６ｅの来校希望度合を考慮しても良い。
【００３７】
技能教習予約取得部１０２ｄは、教習生の来校可能日に基づいて予約枠テーブル１０６ｃの技能教習の予約枠の空きに予約を自動取得する。技能教習は、１指導員に対して１教習生が受講するものであるため、事前予約が必要となる。このため、教習生が受講すべき技能教習の残予約枠数を把握し、教習生の来校可能日と照合することで、技能教習予約の自動取得が可能になる。本実施形態に係る技能教習予約取得部１０２ｄは、技能教習予約を自動取得する際に、教習生の来校可能日に空いている予約枠に予約を入れるだけでなく、教習所を管理運営する上で繁忙期と閑散期ができないように予約取得を平準化すると共に、少ない来校日数で教習生も効率良く教習が受けられるようにする必要がある。このため、技能教習予約取得部１０２ｄは、自動予約する際の予約取得基準として、事前に設定した予約判断テーブル１０６ｇや予約優先順位テーブル１０６ｈの優先順位を用いている。
【００３８】
学科教習予約取得部１０２ｅは、技能履歴テーブル１０６ｂから教習生が予約した技能教習の受講日時と、学科教習の講義スケジュールと、学科履歴テーブル１０６ｉから受講する必要のある学科教習の履歴情報とを取得して、教習生が技能教習で来校する日に合わせて受講可能な学科教習の受講推奨日を計算し、予約を自動取得する。学科教習は、技能教習のように１指導員に対し１教習生が受講するものではなく、１指導員に対し多数の教習生が受講可能であるため、必ずしも予約は必須ではない。しかし、学科教習を自動取得することにより、教習所側で学科教習の受講者数が事前に把握できることから、例えば人数の多い学科教習には経験豊富な指導員を割り当てるなどの運用改善が可能になる。また、技能教習予約取得部１０２ｄにより教習生の技能教習の進捗状況に加えて、学科教習予約取得部１０２ｅにより学科教習の進捗状況も教習所側で把握可能になったため、教習生がいつ頃卒業する予定かが分かり、在籍教習生数の把握と管理が適切に行えるようになった。
【００３９】
［３．具体例］
本実施形態の具体例について、図９〜図１２を参照して、本実施形態に係る教習予約取得装置１００の処理の一例について具体的に説明する。図９は、技能教習を自動予約取得する処理の一例を示すフローチャートである。図１０は、図９で自動予約取得した後の技能履歴テーブルの一例を示す図である。図１１は、学科教習を自動予約取得する処理の一例を示すフローチャートである。図１２は、図１１で自動予約取得した後の学科履歴テーブルの一例を示す図である。
【００４０】
［技能教習の自動予約取得機能］
自動車教習所では、教習生が技能教習を受講するために技能教習の予約を事前に取得する必要があり、これまでは教習生自らが自分の来校日と教習所側の空き予約枠とを照合して予約を取得するか、教習所の事務員が教習生の希望を確認して予約を取得するしかなかった。特に、教習所の運営では、近年の少子化と若者の車離れの影響を受け、業界内の競争が激化しているため、効率的な教習の運用が求められている。
【００４１】
［処理の流れ］
そこで、本実施形態に係る教習予約取得装置１００は、教習生情報取得部１０２ａにより教習生が入校時に所持免許、受講を希望する教習種別、教習車種、教習生の来校可能日、希望卒業日等を入力すると、この入力情報に基づいて、作業内容マスタ１０６ａの教習種別マスタ１０６ａ１、教習車種マスタ１０６ａ２、所持免許マスタ１０６ａ３と照合し、教習生が受講すべき作業内容情報を取得する。
【００４２】
また、教習生情報取得部１０２ａは、入力情報に基づいて図２の技能履歴テーブル１０６ｂ、図４の予約コーステーブル１０６ｄ、図５の曜日別時限可否テーブル１０６ｅ、図６の来校スケジュールテーブル１０６ｆ、図８の学科履歴テーブル１０６ｉを作成する（図９のステップＳ１）。
【００４３】
作成された技能履歴テーブル１０６ｂは、図２に示すように、教習生毎に発行された“教習生番号”に対して、取得した“作業内容”が割り振られており、技能教習を行う“順番”と、教習の“段階”とが入力されている。
【００４４】
教習生の入校時のアンケート情報を元に図４の予約コーステーブル１０６ｄと、図５の曜日別時限可否テーブル１０６ｅとが作成される。予約コーステーブル１０６ｄの“必要来校頻度”は、“希望卒業日”と“残技能教習数”を元に計算したもので、教習開始後にスケジュールに変更が生じた場合は、再度自動予約処理を実行すると再計算される。
【００４５】
一方、教習所情報取得部１０２ｂでは、教習所が提供する教習スケジュールと作業内容毎の予約枠数や残予約枠数等の教習所情報を取得し、予約枠テーブル１０６ｃを作成する（図９のステップＳ２）。作成された予約枠テーブル１０６ｃは、図３に示すように、技能履歴テーブル１０６ｂで割り振られた“作業内容”に相当する教習所側で実施される“教習日”と“時限”とが表示され、作業内容毎に“予約枠”の数と、既に取得されている場合は、その“予約取得数”が表示される。
【００４６】
来校可能日情報取得部１０２ｃは、上記ステップＳ１で作成された来校スケジュールテーブル１０６ｆを取得し、“来校回数（Ｎ）”に「１」をセットする（図９のステップＳ３）。来校スケジュールの計算は、予約コーステーブル１０６ｄの“必要来校頻度”を元に計算され、図６に示す来校スケジュールテーブル１０６ｆが作成される。来校スケジュールテーブル１０６ｆには、“来校最小日”と“来校最大日”が表示されている。
【００４７】
また、来校可能日情報取得部１０２ｃは、Ｎ回目の来校日の中で上記ステップＳ１で作成された予約コーステーブル１０６ｄと、ステップＳ２で作成された予約枠テーブル１０６ｃとを取得する（図９のステップＳ４）。
【００４８】
技能教習予約取得部１０２ｄは、対象期間の教習の空き予約枠の中から予約優先順位テーブル１０６ｈに設定された優先順で予約を取得する（図９のステップＳ５）。優先順の設定例としては、対象期間内の教習において、以下の（１）〜（４）の優先順で技能教習の予約を取得する。
（１）２時間連続で技能教習が可能な予約枠。
（２）空き時間が１時間で技能教習が可能な予約枠。
（３）同日で２時間技能教習が可能な予約枠。
（４）別日で１時間ずつ技能教習が可能な予約枠。
これにより、教習生ができるだけ効率良く技能教習が受けられるようになる。
【００４９】
ここで、予約枠の空きが「１」以上ある場合は（ステップＳ５でＹｅｓ）、ステップＳ６に移行し、予約候補が複数ある場合は（ステップＳ６でＹｅｓ）、予約判断テーブル１０６ｇに設定された優先順位で予約を取得する（ステップＳ７）。予約に成功した場合は、“来校回数（Ｎ）”に「１」を加算して、ステップＳ４に戻る（ステップＳ８）。また、ステップＳ６で、予約候補が１つしか無い場合も（ステップＳ６でＮｏ）、ステップＳ８を経由してステップＳ４に戻る。
【００５０】
また、ステップＳ５において、予約枠の空きが１未満の場合、つまり予約枠が無い場合は（ステップＳ５でＮｏ）、ステップＳ９に移行し、予約取得に失敗したとして対象期間に前後１日を加算して予約の再検索を行う場合は（ステップＳ９でＹｅｓ）、ステップＳ５に戻る。再検索しない場合は処理を終了する（ステップＳ９でＮｏ）。
【００５１】
本実施形態に係る教習予約取得装置１００は、上記処理によって技能教習の予約を自動取得した後、図１０の自動予約取得後の技能履歴テーブル１０６ｂに示すように、“教習番号”が「１」の教習生に対して、“段階”毎の“作業内容”と、その“順番”が示され、各技能教習の予約枠に対して、“予約日”と“予約時限”が入力され、予約が自動取得されていることがわかる。
【００５２】
［学科教習の自動予約取得機能］
自動車教習所の学科教習は、講義形式で実施しており、教習生が学校の講義スケジュールを確認して、技能教習の進度に合わせ、基本的には技能教習で来校する日に学科教習も受講している。これまでは、予約無しで学科教習が運用されていたが、学校の講義スケジュール、技能教習の予約取得状況、教習生の希望卒業日、来校にあたって都合の良い日等の情報から、自動的に学科受講の奨励日を計算することで、教習生に負担なく学科受講の奨励日を提案することが可能となる。
【００５３】
［処理の流れ］
そこで、本実施形態に係る教習予約取得装置１００は、図１１に示すように、学科教習予約取得部１０２ｅにより予約取得後の技能履歴テーブル１０６ｂから技能予約情報を取得する（ステップＳ１１）。
【００５４】
また、学科教習予約取得部１０２ｅは、学科履歴テーブル１０６ｉより受講が必要な学科教習情報を取得する（ステップＳ１２）。
【００５５】
さらに、教習所情報取得部１０２ｂは、教習所で行われる学科教習の開講時限情報を取得する（ステップＳ１３）。
【００５６】
そして、学科教習予約取得部１０２ｅは、上記取得した予約取得後の技能予約情報と、受講が必要な学科教習と、学科教習の開講時限情報とに基づいて、予約優先順位テーブル１０６ｈに設定した優先順で学科受講奨励日を取得する（ステップＳ１４）。優先順の設定例としては、下記（ｂ）よりも（ａ）を優先させて予約を取得するようにし、（ｃ）と（ｄ）の場合は教習生の満足度を下げる可能性が高いため、教習生の来校希望度合を見直してもらうように運用することが望ましい。
（ａ）技能教習の前後、または、受講対象の学科教習の前後で受講可能な学科教習。
（ｂ）技能教習、または、受講対象の学科教習との間の空き時間が１時間で受講可能な学科教習。
（ｃ）技能教習、または、受講対象の学科教習と同日で受講可能な学科教習。
（ｄ）取得できなかった場合は受講奨励日を取得しない。
これにより、教習生が少ない来校日数で効率良く技術教習と学科教習とを受講することが可能になる。
【００５７】
さらに、学科教習予約取得部１０２ｅは、上記優先順で学科受講奨励日を取得し、予約候補が複数ある場合は（ステップＳ１５でＹｅｓ）、ステップＳ１６において開講日が前の学科教習を選択して、予約を取得する。また、予約候補が１つしか無い場合は、ステップＳ１４で取得した学科受講奨励日を予約して終了する（ステップＳ１５でＮｏ）。
【００５８】
以上述べたように、本実施形態に係る教習予約取得装置１００によれば、技能教習の予約を自動取得する際の基準として、予約優先順位テーブル１０６ｈと予約判断テーブル１０６ｇとを用いているため、教習生の来校日にできるだけ教習予約をまとめて取得できるようにしつつ、連続した予約ができない場合でも可能な限り空き時間を少なくなるようにし、教習生の希望度合と教習所側の予約枠の平準化とを調整した技能教習と学科教習の予約を自動取得することが可能になった。また、予約の自動取得を可能にしたことで、教習生や教習所の事務員の予約取得に掛かる負荷が無くなり、予約取得の煩わしさにより長期来校しなくなるという事象を解消することができる。
【００５９】
さらに、本実施形態に係る教習予約取得装置１００によれば、教習所における繁忙期と閑散期との差をできるだけ小さくして、指導員の勤務中の空き時間を減らし、車両の保有台数を必要最低限抑制することができるため、確実に利益を確保するための効率的な教習所の運用が可能となる。
【００６０】
また、本実施形態に係る教習予約取得装置１００によれば、教習生の卒業予定日が把握可能となり、入校者数と在籍者の管理できるようになったため、教習生数を多く入校させて予約がとれなくなる状態を未然に防ぐことができる。
【００６１】
［４．他の実施形態］
本発明は、上述した実施形態以外にも、特許請求の範囲に記載した技術的思想の範囲内において種々の異なる実施形態にて実施されてよいものである。
【００６２】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６３】
また、本明細書中や図面中で示した処理手順、制御手順、具体的名称、各処理の登録データや検索条件等のパラメータを含む情報、画面例、データベース構成については、特記する場合を除いて任意に変更することができる。
【００６４】
また、教習予約取得装置１００に関して、図示の各構成要素は機能概念的なものであり、必ずしも物理的に図示の如く構成されていることを要しない。
【００６５】
例えば、教習予約取得装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて教習予約取得装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。
【００６６】
また、このコンピュータプログラムは、教習予約取得装置１００に対して任意のネットワークを介して接続されたアプリケーションプログラムサーバに記憶されていてもよく、必要に応じてその全部または一部をダウンロードすることも可能である。
【００６７】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６８】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００６９】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７０】
また、教習予約取得装置１００は、既知のパーソナルコンピュータまたはワークステーション等の情報処理装置として構成してもよく、また、任意の周辺装置が接続された当該情報処理装置として構成してもよい。また、教習予約取得装置１００は、当該情報処理装置に本実施形態で説明した処理を実現させるソフトウェア（プログラムまたはデータ等を含む）を実装することにより実現してもよい。
【００７１】
さらに、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７２】
本発明は、教習所などの業界において適用可能であり、特に、繁忙期と閑散期との差を少なくして、教習所を効率的に運用することが可能な予約システムとして有用である。
【符号の説明】
【００７３】
１００  教習予約取得装置
１０２  制御部
１０２ａ  教習生情報取得部
１０２ｂ  教習所情報取得部
１０２ｃ  来校可能日情報取得部
１０２ｄ  技能教習予約取得部
１０２ｅ  学科教習予約取得部
１０４  通信インターフェース部
１０６  記憶部
１０６ａ  作業内容マスタ
１０６ａ１  教習種別マスタ
１０６ａ２  教習車種マスタ
１０６ａ３  所持免許マスタ
１０６ｂ  技能履歴テーブル
１０６ｃ  予約枠テーブル
１０６ｄ  予約コーステーブル
１０６ｅ  曜日別時限可否テーブル
１０６ｆ  来校スケジュールテーブル
１０６ｇ  予約判断テーブル
１０６ｈ  予約優先順位テーブル
１０６ｉ  学科履歴テーブル
１０８  入出力インターフェース部
１１２  入力装置（キーボード）
１１４  出力装置（モニタ）
２００  サーバ
３００  ネットワーク
【図１】
2020004290.tif 000003
【図２】
2020004290.tif 000004
【図３】
2020004290.tif 000005
【図４】
2020004290.tif 000006
【図５】
2020004290.tif 000007
【図６】
2020004290.tif 000008
【図７】
2020004290.tif 000009
【図８】
2020004290.tif 000010
【図９】
2020004290.tif 000011
【図１０】
2020004290.tif 000012
【図１１】
2020004290.tif 000013
【図１２】
2020004290.tif 000014